(57)【要約】【課題】テレビ１ではテレビ音声を再生するスピーカを、ステレオ音声が再生できるように左右１対のスピーカ３１，３２で構成することが望まれている。また、通話ボタン４を備え、通話ボタン４を押すとインターホンとしても機能する場合、インターホンの音声は従来であれば両スピーカ３１，３２で再生していた。ところが、両スピーカ３１，３２共に音声を再生すると、両スピーカ３１，３２とマイク５との距離が短くなり、ハウリング現象が生じやすいという不具合が生じる。【解決手段】インターホンとして機能する際には一方のスピーカ３２が音声を再生しないようにしてマイク５をこの再生しないスピーカ３２に近づけて設けることにより、マイクと他方のスピーカ３１との距離を長く確保できるようにした。【選択図】  図１
2005260544.tif 000002
【特許請求の範囲】
【請求項１】
ステレオ音声の発音が可能な左右１対のスピーカを備えるとともに、他のインターホン装置に接続され、この他のインターホン装置から送信される音声信号を上記スピーカで再生するインターホン機能を備えた電子装置において、インターホン機能で作動する際に、上記スピーカのうちの一方を消音し、他方のスピーカで上記音声信号を再生するとともに、他のインターホン装置へ送信する音声信号を生成するマイクを他方のスピーカよりも一方のスピーカに近づけて取り付けたことを特徴とする電子装置。
【請求項２】
ステレオ音声の発音が可能な左右１対のスピーカを備えるとともに、他のインターホン装置に接続され、この他のインターホン装置から送信される音声信号を上記スピーカで再生するインターホン機能を備えた電子装置において、インターホン機能で作動する際に、上記スピーカのうちの一方のスピーカでの発音を停止させるとともに、この一方のスピーカを、他のインターホン装置へ送信する音声信号を生成するマイクとして機能させることを特徴とする電子装置。
【請求項３】
給湯装置の作動を制御するリモコン機能を備えるとともに、上記他のインターホン装置も同様のリモコン機能を備えることを特徴とする請求項１または請求項２に記載の電子装置。
【請求項４】
テレビ画像を表示する液晶表示部を備え、上記スピーカが発音するステレオ音声はテレビ音声であることを特徴とする請求項１から請求項３のいずれかに記載の電子装置。
【発明の詳細な説明】
【技術分野】
【０００１】
本発明は、ステレオ音声の発音が可能な左右１対のスピーカを備えるとともに、他のインターホン装置に接続され、この他のインターホン装置から送信される音声信号を上記スピーカで再生するインターホン機能を備えた電子装置に関する。
【背景技術】
【０００２】
電子装置として、例えば給湯装置の作動を制御するリモコン装置は浴室内に設置されるとともに、必要に応じて台所などの他の部屋にも設置される。そして、これら複数のリモコンは相互に通話できるインターホン機能を有している（例えば特許文献１）。そのため、リモコン装置にはスピーカとマイクとが取り付けられている。なお、特に浴室に設置されるリモコン装置には入浴中にテレビ画像を鑑賞したり音楽を再生する機能が付加されている場合がある。そのようなリモコン装置ではテレビ音声や音楽を再生するスピーカが必要であるため、上記インターホン機能として使用するスピーカを兼用してテレビ音声や音楽を再生している。
【特許文献１】特開２００４−３６９１６号公報（図１）
【発明の開示】
【発明が解決しようとする課題】
【０００３】
上記特許文献１に記載された従来のものでは、スピーカが１つしか設けられておらず、従って再生されるテレビ音声や音楽はモノラル音声になる。ところが、近年ステレオ再生するＡＶ機器が普及してきたという環境により、上記リモコン装置でもスピーカを左右１対に設けてテレビ音声や音楽をステレオ再生することが望まれている。
【０００４】
ところが、左右１対にスピーカを設けると、インターホン機能で使用するマイクとスピーカとの距離が短くなり、インターホンとして使用する際にスピーカで再生された音声がマイクに拾われ、くり返し増幅されることによって異音を発する、いわゆるハウリング現象が生じる。そのため、マイクの設置位置の自由度が著しく制限され、あるいはマイクの感度を落とさなければならないという不具合が生じる。
【０００５】
そこで本発明は、上記の問題点に鑑み、ステレオ音声の発音が可能な左右１対のスピーカを備えていても、インターホンとして作動する際にハウリング現象が生じにくい電子装置を提供することを課題とする。
【課題を解決するための手段】
【０００６】
上記課題を解決するために本発明による電子装置は、ステレオ音声の発音が可能な左右１対のスピーカを備えるとともに、他のインターホン装置に接続され、この他のインターホン装置から送信される音声信号を上記スピーカで再生するインターホン機能を備えた電子装置において、インターホン機能で作動する際に、上記スピーカのうちの一方を消音し、他方のスピーカで上記音声信号を再生するとともに、他のインターホン装置へ送信する音声信号を生成するマイクを他方のスピーカよりも一方のスピーカに近づけて取り付けたことを特徴とする。
【０００７】
また、本発明による他の電子装置は、ステレオ音声の発音が可能な左右１対のスピーカを備えるとともに、他のインターホン装置に接続され、この他のインターホン装置から送信される音声信号を上記スピーカで再生するインターホン機能を備えた電子装置において、インターホン機能で作動する際に、上記スピーカのうちの一方のスピーカでの発音を停止させるとともに、この一方のスピーカを、他のインターホン装置へ送信する音声信号を生成するマイクとして機能させることを特徴とする。
【０００８】
なお、上述の両発明共に、給湯装置の作動を制御するリモコン機能を備えるとともに、上記他のインターホン装置も同様のリモコン機能を備えるようにしてもよい。
【０００９】
また、テレビ画像を表示する液晶表示部を備え、上記スピーカが発音するステレオ音声はテレビ音声としてもよい。
【発明の効果】
【００１０】
以上の説明から明らかなように、本発明は、インターホンとして機能する際には１対のスピーカのうちの一方を消音し、マイクをこの消音したスピーカに近づけて設けることにより、インターホンとして機能する際のマイクとスピーカとの距離を広く確保することができ、これによりハウリング現象が生じにくくなる。そのため、マイクの取付位置に対する設計の自由度が増す。
【００１１】
また、他の発明によれば、インターホンとして機能する際に１対のスピーカのうちの一方をマイクとして機能させることにより、やはりマイクとスピーカとの距離を広く確保することができる。そのため、ハウリング現象の発生を抑制することができる。
【発明を実施するための最良の形態】
【００１２】
図１を参照して、１は本発明による電子装置であるテレビ受像機（以下テレビという）である。このテレビ１の前面にはテレビ画像を表示する液晶表示部２が設けられている。また、その液晶表示部２の下方には左右１対のスピーカ３１，３２が取り付けられている。両スピーカ３１，３２の間にはテレビ受像機として機能する際に必要な、例えばチャンネルの選局や音量の調節を行うための各種のスイッチ群２１が設けられている。
【００１３】
また、スイッチ群２１の側方にはインターホンとして作動する際に用いる通話ボタン４が取り付けられている。さらに、テレビ１の下面には向かって左側のスピーカ３１から可能な限り遠距離になるようにマイク５が取り付けられている。ここで、向かって左側のスピーカ３１とマイク５との距離Ｄ１より、同じく右側のスピーカ３２との距離Ｄ２が短くなるように設定した。このよう設定することによりスピーカ３１とマイク５との距離Ｄ１が長くなるように設定することができる。
【００１４】
図２を参照して、１１はテレビ１の外部に設けたチューナ部であり、アンテナで受信したテレビ放送用の電波から選局されたチャンネルの画像信号および音声信号を抽出し、制御ユニット６に出力するものである。なお、チューナ部１１はテレビ１内に設けてもよい。
【００１５】
この制御ユニット６はチューナ部１１から受信した信号に基づいて液晶表示部２に画像信号を出力し、かつ両スピーカ３１，３２に音声信号を出力するものである。一方、この制御ユニット６は通信線１０を介して外部の給湯装置１００に接続されており、この給湯装置１００の作動を制御するリモコンとしての機能も合わせて備えている。ところで、通信線１０には別所に設置されたリモコン装置１０１が接続されており、このリモコン装置１０１を介しても給湯装置１００の作動を制御することができる。
【００１６】
上記テレビ１が例えば浴室に設置され、このリモコン装置１０１が台所に設置されている場合などでは、入浴者と台所にいる家人との間で通話することが望まれる場合がある。例えば入浴者が家人に話しかける場合には、上記通話ボタン４を押す。すると、制御ユニット６はテレビ１の作動モードを一時的にインターホンモードに切り替え、両スピーカ３１，３２へのテレビ音声の出力を停止する。そして、制御ユニット６はさらにリモコン装置１０１から送信されてくる家人の音声信号を両スピーカ３１，３２に出力する。
【００１７】
ただし、本発明では向かって右側のスピーカ３２と制御ユニット６との間にオンオフ手段６１を介設した。このオンオフ手段６１は通常はオン状態になっており、制御ユニット６から出力される音声信号がスピーカ３２に出力される状態になっている。一方、制御ユニット６からの信号によりオフ状態になり、制御ユニット６からの音声信号がスピーカ３２に出力されない状態に切り替えられる。
【００１８】
インターホンモードに成ると制御ユニット６はこのオンオフ手段６１をオフ状態に切り替え、リモコン装置１０１からの音声信号がスピーカ３２に出力されないようにする。従って、インターホンモードではスピーカ３１のみが作動し、スピーカ３２は作動しない状態になる。そして入浴者が応答する際には、入浴者の音声をマイク５によって音声信号に変換し、制御ユニット６からリモコン装置１０１に出力される。
【００１９】
このようにインターホンモードでは、マイク５に近いスピーカ３２が作動しないので、再生された家人の音声がマイク５に拾われ、増幅され続けるハウリング現象を効果的に防止することができる。
【００２０】
次に、図３を参照して、この実施の形態では、上記オンオフ手段６１の代わりに切り替え手段６２を介在させた点が上述の図２に示した構成と相違するが、その他の構成は基本的に同じである。この切り替え手段６２は常時はスピーカ３２を制御ユニット６の音声信号出力ポートに接続しているが、制御ユニット６からの信号によりスピーカ３２を制御ユニット６のマイク入力ポートに接続される状態に切り替えるものである。
【００２１】
従って、テレビ１がインターホンモードに切り替わると、外部からテレビ１に入力される音声信号が制御ユニット６からスピーカ３２に出力されない点は図２に示した形態と同じであるが、本形態ではスピーカ３２がマイク入力ポートに接続されることにより、スピーカ３２がマイクとして機能し、このスピーカ３２によって変換された音声信号が制御ユニット６に入力され、リモコン装置１０１に出力されることになる。
【００２２】
この図３に示した構成では、スピーカ３１と、マイクとして機能するスピーカ３２との距離が遠いためハウリング現象の発生を効果的に防止することができる。
【００２３】
なお、本発明は上記した形態に限定されるものではなく、テレビ以外の電子装置に適用するなどの、本発明の要旨を逸脱しない範囲内において種々の変更を加えてもかまわない。
【図面の簡単な説明】
【００２４】
【図１】本発明の一実施の形態の構成を示す図
【図２】テレビ１の内部構造を示すブロック図
【図３】テレビ１の他の形態での内部構造を示すブロック図
【符号の説明】
【００２５】
１ テレビ
２ 液晶表示部
４ 通話ボタン
５ マイク
６ 制御ユニット
１０ 通信線
１１ チューナ部
３１ スピーカ
３２ スピーカ
１００ 給湯装置
１０１ リモコン装置
【図１】
2005260544.tif 000003
【図２】
2005260544.tif 000004
【図３】
2005260544.tif 000005